(57)【要約】【課題】  水が貯留され難く、且つ水道管内の内部圧力の上昇を抑制できる洗浄装置を提供する。【解決手段】  浄水装置１は、パイプ２ａとソケット２ｂ，２ｃとで形成されたケース２を有し、ケース２には、収納室３と入水管部４と出水管部５とが一体に形成されている。収納室３内には、複数のセラミック製の浄水球８が収納されている。収納室３の内径寸法Ｄ０は、上流側の水道管１１の内径寸法Ｄ１および下流側の水道管１２の内径寸法Ｄ２よりも大きく、水道管１１内を流れる水流の抵抗を低減できるようにしている。【選択図】図２
0003123568.tif 000002
【実用新案登録請求の範囲】
【請求項１】
水道管の管路途中に取り付けられるケースと、前記ケース内に収納された複数の浄水球とを有する浄水装置において、
前記ケースには、上流側の水道管に連結されて水道水が導入される入水管部と、水道水を下流側の水道管に排出する出水管部と、前記入水管部と前記出水管部との間に位置し且つ前記入水管部と前記出水管部に通じる収納室とが一体に形成され、前記収納室内に複数の前記浄水球が収納されており、
前記収納室の流体移動方向に直交する断面での内面積が、前記入水管部と前記出水管部の、それぞれの流体移動方向に直交する断面での内面積よりも大きいことを特徴とする浄水装置。
【請求項２】
前記収納室の前記内径寸法は、上流側の水道管と下流側の水道管の、それぞれの流体移動方向に直交する断面での内径寸法の２倍以上である請求項１記載の浄水装置。
【請求項３】
前記収納室では、前記断面内の全域に前記浄水球が充填されており、前記断面における浄水球間の隙間の面積の総和が、前記上流側の水道管の流体移動方向に直交する断面での内面積と等しいかまたはそれよりも大きい請求項１記載の浄水装置。
【請求項４】
前記ケース内には、前記収納室と前記入水管部との境界部、および前記収納室と前記出水管部との間に、網体が設けられ、前記収納室内では、両網体の間に、複数の浄水球が動かないように保持されている請求項１ないし３のいずれかに記載の浄水装置。
【請求項５】
前記浄水球はセラミック球である請求項１ないし４のいずれかに記載の浄水装置。
【請求項６】
前記下流側水道管から、各給水箇所に延びる複数の水道支管が設けられている請求項１ないし５のいずれかに記載の浄水装置。
【考案の詳細な説明】
【技術分野】
【０００１】
本考案は、家庭用や業務用の水道管の管路途中に装着される浄水装置に関する。
【背景技術】
【０００２】
家庭用や業務用の水道水を浄化する浄水装置は、蛇口部分に装着され、あるいは水道水を一旦貯留する貯水槽内に設けられている。
【０００３】
しかし、蛇口部分に浄水装置を設けると、浄水装置が蛇口から吐出される水道水に抵抗を与えることになり、蛇口内の水圧が上昇し、浄水装置が蛇口から外れたり、浄水装置の内圧の上昇により、浄水装置が故障するなどの問題が生じやすい。
【０００４】
また、水道水を一旦貯留する貯水槽内に浄水装置を設けたものは、内部に水道水の一部が排出されることなく貯留されることがあり、衛生上好ましくない。
【考案の開示】
【考案が解決しようとする課題】
【０００５】
本考案は上記従来の課題を解決するものであり、元管である水道管の管路内に配置することで、水道水が貯留されるのを防止でき、しかも内圧の上昇を抑制できる構造の浄水装置を提供することを目的としている。
【課題を解決するための手段】
【０００６】
本考案は、水道管の管路途中に取り付けられるケースと、前記ケース内に収納された複数の浄水球とを有する浄水装置において、
前記ケースには、上流側の水道管に連結されて水道水が導入される入水管部と、水道水を下流側の水道管に排出する出水管部と、前記入水管部と前記出水管部との間に位置し且つ前記入水管部と前記出水管部に通じる収納室とが一体に形成され、前記収納室内に複数の前記浄水球が収納されており、
前記収納室の流体移動方向に直交する断面での内面積が、前記入水管部と前記出水管部の、それぞれの流体移動方向に直交する断面での内面積よりも大きいことを特徴とするものである。
【０００７】
また、本考案では、前記収納室の前記内径寸法は、上流側の水道管と下流側の水道管の、それぞれの流体移動方向に直交する断面での内径寸法の２倍以上であることが好ましく、さらに好ましくは、前記収納室では、前記断面内の全域に前記浄水球が充填されており、前記断面における浄水球間の隙間の面積の総和が、前記上流側の水道管の流体移動方向に直交する断面での内面積と等しいかまたはそれよりも大きいものである。
【０００８】
また本考案は、前記ケース内には、前記収納室と前記入水管部との境界部、および前記収納室と前記出水管部との間に、網体が設けられ、前記収納室内では、両網体の間に、複数の浄水球が動かないように保持されている構造とすることが好ましい。
例えば、前記浄水球はセラミック球である。
【０００９】
さらに、本考案は、前記下流側水道管から、各給水箇所に延びる複数の水道支管が設けられているものとして使用することができる。
【考案の効果】
【００１０】
本考案の浄水装置は、水道水の元管の管路途中に装着されるものであるため、内部での水の溜まりが生じることがなく衛生的である。
【００１１】
また、水道水は、ケースの収納室内に位置する浄水球の間を通過することで、汚れが除去され、また浄水球の表面を通過することで、流体のエネルギーが上昇し、高エネルギーの水に変化できる。
【００１２】
また、本考案の浄水装置では、装置内での流体損失が少なく、あるいは流体損失をほとんどなくすことができる。
【考案を実施するための最良の形態】
【００１３】
図１は本考案の実施の形態の浄水装置を示す斜視図、図２は浄水装置の縦断面図である。図３は、前記浄水装置の使用例を示す説明図である。
【００１４】
図１と図２に示す浄水装置１はケース２を有している。ケース２は、内径寸法が縦方向に一定の円筒状のパイプ２ａと、このパイプ２ａの両端部に嵌着された２つのソケット２ｂ，２ｃとを有している。パイプ２ａとソケット２ｂ，２ｃは、硬質塩化ビニルで形成されている。
【００１５】
パイプ２ａとソケット２ｂ，２ｃとが組み合わせられたケース２は、図２に示すように、収納室３と、入水管部４と出水管部５とを有している。ソケット２ｂとソケット２ｃは、同じ形状で同じ寸法に形成されているため、ソケット２ｂ側が入水管部４として使用されてもよいし、ソケット２ｃ側が入水管部４として使用されてもよい。
【００１６】
ケース２の収納室３内には多数の浄水球８が充填されている。浄水球８の直径は２０〜３０ｍｍ程度であり、この実施の形態では直径が２３ｍｍの浄水球８が使用されている。収納室３と入水管部４との境界にはステンレス製の網体６が設置され、収納室３と出水管部５との間にも同様にステンレス製の網体６が設置されている。ケース２内では、網体６と網体６との間に、浄水球８が規則的に並べられて収納されており、浄水球８は、網体６と網体６との間において、水流の力によって動くことなく保持されている。
【００１７】
この浄水装置１は、ソケット２ｂとソケット２ｃの一方をパイプ２ａから分離させ、網体６を除去することにより、内部の浄水球８を取り出して交換することができる。
【００１８】
浄水球８はセラミック球であり、例えば天然ゼオライトなどの粘土から焼成されたものである。
【００１９】
この洗浄装置１は、上水道の管路の一部となるように取り付けられる。図１と図２に示すように、入水管部４の内部には上流側の水道管１１が嵌着され、出水管部５の内部には下流側の水道管１２が嵌着される。
【００２０】
図２に示すように、収納室３を流体移動方向と直交する断面（Ｉ−Ｉ断面）での内径寸法をＤ０、上流側の水道管１１の流体移動方向と直交する断面（ＩＩ−ＩＩ断面）での内径寸法をＤ１、下流側の水道管１２の流体移動方向と直交する断面（ＩＩＩ−ＩＩＩ断面）での内径寸法をＤ２とすると、内径寸法Ｄ１とＤ２とが等しく、内径寸法Ｄ０は、内径寸法Ｄ１およびＤ２の２倍以上である。その結果、上流側の水道管１１から下流側の水道管１２に流れる水流に対して、浄水装置１が抵抗を与え難く、水道管１１と１２およびケース２内の水圧の極端な上昇を抑制できる。
【００２１】
上記のように水圧の上昇を抑制するためには、前記収納室３のＩ−Ｉ断面における浄水球８間の隙間の断面積の総和が、上流側の水道管１１および下流側の水道管１２の前記断面での内面積よりも大きいことが好ましい。このように構成すると、上流側の水道管１１の内圧の上昇を抑制でき、浄水装置１が水道管１１から外れにくくなる。またケース２内の水圧の極端な上昇を抑制でき、パイプ２ａとソケット２ｂ，２ｃとが分離しにくくなる。
【００２２】
図３の設置例では、上水道の上流側の水道管１１に水量メーター１５が設置され、この水量メーター１５の下流側に浄水装置１が設置されている。浄水装置１よりも下流側の水道管１２には、水道支管１２ａ，１２ｂ，１２ｃ，１２ｄが設けられ、それぞれの水道支管が、家庭や各種施設の給水箇所に延びている。
【００２３】
上流側の水道管１１から浄水装置１のケース２内に流れ込んだ水道水は、多数の浄水球８の間を通過することで汚れが除去され、また浄水球８の周囲を通過することで流速が増し、高エネルギーの水道水として各給水箇所に与えられる。
【図面の簡単な説明】
【００２４】
【図１】本考案の実施の形態の洗浄装置を示す斜視図、
【図２】前記洗浄装置の縦断面図、
【図３】洗浄装置の設置例を示す説明図、
【符号の説明】
【００２５】
１  洗浄装置
２  ケース
２ａ  パイプ
２ｂ，２ｃ  ソケット
３  収納室
４  入水管部
５  出水管部
６  網体
８  浄水球
１１  上流側の水道管
１２  下流側の水道管
１２ａ，１２ｂ，１２ｃ，１２ｄ  水道支管
【図１】
0003123568.tif 000003
【図２】
0003123568.tif 000004
【図３】
0003123568.tif 000005